(57)【要約】      （修正有）【課題】宇宙船用の推進装置。【解決手段】内側のドームの中に推進装置を入れ外側のドームは固定化とする。【選択図】図１
0003112894.tif 000002
【実用新案登録請求の範囲】
【請求項１】
イ）オモリアングルを油圧タービンで回しフックにより１方向に片寄せて推進を計る装置
ロ）フックも油圧式
【考案の詳細な説明】
【考案の詳細な説明】
まず▲９▼の補助アングルを三日月形にし▲１▼のオモリアングルの裏側中央に付ける。▲８▼のボルトと▲１０▼のシャフトの接点部分はシャフト側の方だけ１３夜月形に削る。▲２▼のテコアングルはフリーにして▲８▼のボルトを付け、更に▲８▼のボルトに▲１▼のオモリアングルをフリーにして取付ける。▲７▼のスプリングは▲１▼のオモリアングルと▲３▼のオモリアングル受けの中間部分に４本嵌める。▲６▼のフックは▲５▼の中側ドームの壁に中心を向けて８基取付ける。そして▲４▼の油圧タービンで▲１０▼のシャフトを回すと▲６▼のフックの強弱を活用して▲２▼のテコアングルを作動する。すると▲１▼のオモリアングルが中心より片寄りその反動で一方向に推進力を得ることが出来る。▲７▼のスプリングはその反動を元に戻す。更にこの装置▲４▼の油圧タービンを挾んで両側に取付けて出力を大きく得る。▲５▼の中側ドームは▲１１▼の油圧タービンの駆動で１８０°の転換を可能にする。
従ってあらゆる方向に推進を計ることが出来る遠心力反動推進装置。
【図面の簡単な説明】
【図１】      本考案の側面図
【図２】      本考案の断面図
【符号の説明】
▲１▼  オモリアングル
▲２▼  テコアングル
▲３▼  オモリアングル受
▲４▼  油圧タービン
▲５▼  中側ドーム
▲６▼  油圧製フック
▲７▼  スプリング
▲８▼  ボルト
▲９▼  三日月形補助オモリアングル
▲１０▼  シャフト
▲１１▼  油圧タービン
▲１２▼  外側ドーム
【図１】
0003112894.tif 000003
【図２】
0003112894.tif 000004
【手続補正書】
【提出日】平成16年1月15日(2004.1.15)
【手続補正１】
【補正対象書類名】明細書
【補正対象項目名】補正の内容のとおり
【補正方法】変更
【補正の内容】
0003112894.tif 000005
0003112894.tif 000006
0003112894.tif 000007
0003112894.tif 000008
0003112894.tif 000009
0003112894.tif 000010
0003112894.tif 000011
0003112894.tif 000012
【手続補正書】
【提出日】平成16年5月6日(2004.5.6)
【手続補正１】
【補正対象書類名】実用新案登録請求の範囲
【補正対象項目名】全文
【補正方法】変更
【補正の内容】
【実用新案登録請求の範囲】
【請求項１】
本考案は、成層圏以上の空間を飛行するに適した推進装置で、機体に取付けると四方八方に推進可能となるし、しかもスピードは加速度適に伸ばせる遠心力反動推進装置。
（１）遠心力反動推進装置本体
（２）本体のリミット
【手続補正２】
【補正対象書類名】明細書
【補正対象項目名】補正の内容のとおり
【補正方法】変更
【補正の内容】
0003112894.tif 000013
0003112894.tif 000014
0003112894.tif 000015
0003112894.tif 000016
0003112894.tif 000017
0003112894.tif 000018
0003112894.tif 000019
0003112894.tif 000020
0003112894.tif 000021
0003112894.tif 000022
【手続補正書】
【提出日】平成16年7月28日(2004.7.28)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームを固定しその中側にもう一つの中側ドームを入れ、中側ドームは球形とし、横で取り外す様設計する。そして天井依りドーム支柱を下ろし中心にオイルモーターを取付ける。オイルモーターに主シャフトと補助用シャフトを設け主シャフトにオモリアングル受けを固定し取付ける。
次にその外側にテコアングルをベアリングを付け取付ける。次にテコアングルに副シャフトを固定して取付ける。そしてオモリアングル受と合う様に副シャフト、オモリアングルを取付ける。オモリアングルとオモリアングル受とにスプリングを、主シャフトを挟んで双方に取付ける。テコアングル先端に位置する所に凹型磁石鉄を取付けコイルを捲き、コードは円筒形ブラシコンセント依り中側ドーム、外側を通して引く。そして一方は端は中側ドームにセットして置く。凹型磁石フックは八方８個とし中心に向けて設ける。この装置とオイルモーターを挟んで両側にセットする。一方天井には１８０°方向可な中側ドーム方向用ブレーキ付正転逆転電動モーターと、１８０°回転可能な油圧ジョイントを設け備える。そしてまずオイルモーターに依り主シャフトを回すと、オモリアングル受けとそれに伴ってスプリングとオモリアングルとテコアングルが共に回転する。そして凹型電磁石フックに磁石を入れると、最初にＮとＮが反発しあい次にテコアングル先端部分が凹型磁石の中央の一歩手前で磁石の電極を切り替えてやるとやると、又ＮとＮ反発しあう様になるので、テコアングルに付いているオモリアングルが大きく向かって左側に片寄る。然しスプリングの影響で元に戻るが、オイルモーターの力でこの繰り返しをする。そこに反動の力が生まれる。
材質については、外ドームがサルモファサマ金属で中側ドームが銅合金が適当ではないかと思われる。磁石の方は希土類合金ではないかと思われる。又油止には自動車のピストンに使われている様なリングかと思う。スプリングは竹の子形コイルバネとし、オモリアングル受けとオモリアングルは船形とし、磁石を入れ両方の先端部分に間隙を明けセットするオイルモーターの所はオイルモーターの外側に油が漏れない様にリングを嵌め、その外側にニードルベアリングを嵌める。オイルモーターのギヤーは上下同じにする。円筒形ブラシコンセントの所は８段のコンセントを設け一の電極を中側ドームとし８方は炭素棒で、＋の電極をコンセントに電流を流す。ドーム主柱は前後取り外す様工夫する。以上の如く構成された遠心力反動推進装置。
【手続補正２】
【補正対象書類名】明細書
【補正対象項目名】全文
【補正方法】変更
【補正の内容】
【考案の詳細な説明】
【技術分野】
【０００１】  特に宇宙船用遠心力反動推進装置
【背景技術】
【０００２】  ロケットに変わる新しい技術
【考案の開示】
【考案が解決しようとする課題】
【０００３】  マグネットとマグネットの反発するのを利用する
【考案の効果】
【０００５】  宇宙船に取付けると速度は加速度的に飛行できる
【考案を実施するための最良の形態】
【０００６】  外側ドームはお碗形とし内側ドームは球形とする
【実施例】
【０００７】  なし
【産業上の利用可能性】
【０００８】  産業上としては地上依り直ちに飛行可能
【図面の簡単な説明】
【０００９】
【図１】    本考案の横面断面図
【図２】    本考案の上部断面図
【符号の説明】
【００１０】▲１▼オモリアングル
▲２▼テコアングル
▲３▼オモリアングル受
▲４▼オイルモーター
▲５▼中側ドーム
▲６▼凹型電磁石フック
▲７▼スプリング
▲８▼副シャフト
▲９▼テコアングル接点部分
▲１０▼主シャフト
▲１１▼中側ドーム方向用ブレーキ付正転逆転電動モーター
▲１２▼外側ドーム
▲１３▼ドーム支柱
▲１４▼円筒形ブラシコンセント
▲１５▼３６０°回転可能とする油圧ジョイント
【手続補正３】
【補正対象書類名】図面
【補正対象項目名】全面
【補正方法】変更
【補正の内容】
【書類名】    図面
【図１】
0003112894.tif 000023
【図２】
0003112894.tif 000024
【手続補正書】
【提出日】平成16年10月28日(2004.10.28)
【手続補正１】
【補正対象書類名】実用新案登録請求の範囲
【補正対象項目名】全文
【補正方法】変更
【補正の内容】
【実用新案登録請求の範囲】
【請求項１】
遠心力反動推進装置の構造
イ）▲１２▼の外側ドームは半円球形と機体に固定化してパッキンを嵌め取付ける▲５▼中側ームを入れる中側ドーム天井に▲１３▼ドーム支柱を降ろし中心に▲４▼オイルモーターを縦にし取付ける上のシャフトは容器の外に出さず下方の▲１０▼主シャフトを外に出す。ドーム支柱に▲５▼中側ドームを球形にし２個からなる部品で両面より組立る。ドーム支柱の上部は円座式ギヤを付け▲１１▼中側ドーム方向用ブレーキ付正転逆転電動モーターをカバーに付け３６０°位置転換を計る。ドーム支柱中段に▲１４▼の円筒形ブラシコンセントを設けるが＋の接点は円く帯状とし８本設ける。主シャフト両側に▲３▼オモリアングル受けを固定してボルトで取付ける。その外側に▲２▼のテコアングルを、ベアリングを嵌めフリーとして取付けテコアングルにボルトを付け、それに▲１▼のオモリアングルをベアリングを嵌めフリーとし取付ける。オモリ受けとオモリアングル双方に主シャフトを挟んでＶ字形に張り▲７▼のスプリングを左右１本計４本嵌める。ドーム天井の部分は、円座式としギヤを付け▲１１▼の中側ドーム方向用ブレーキ付正転逆転電動モーターを鞘にした容器に取付ける。鞘は機体に取付ける。▲６▼の凹型電磁石フックは、コアにコイルを巻き▲９▼のテコアングル先端部分が作動する様に八方から中側ドーム中心に向け、中側ドームに１６個取付けコイルの一方は機体にアースし、一方は▲１４▼円筒形ブラシコンセントに接点を繋ぐ、コイルは中側ドームの内側を通す。
ロ）▲１５▼の３６０°回転可能とする油圧コンセントはオイルモーター依り副管を延ばして二重シリンダーとし中に二重リングを嵌め込む。
ハ）▲６▼凹型電磁石フックに入力する電源のリミットは円盤に絶縁物質を作り、その中に＋−のコードを入れ先端に端子を９６個設けシャフトと、その途中に入力用端子を作り＋−の素子で直流電気を流す。そしてオイルモーターで主シャフトと同調させる。
シャフトは上下２個のベアリングを嵌めて外壁に固定する。
ニ）一つのオイルポンプで最低４基の推進装置を駆動させるが油圧系統のパイプは直列とする。推進装置と推進装置の間の調整は、手動で行なう。▲１０▼の主シャフトは毎分５００回転前後とする。パイプの中の油の洗浄は、磁石で不純物を吸収する。
ホ）▲９▼のテコアングル先端部分とフックのマグネットの電圧の強弱を利用する。テコアングル先端部分がフックの中央部分を通過する際＋−の電源を切替えてやる。従ってテコアングルと先端部分をＮ極としフック側をＮ、Ｎ極とする。Ｎ、Ｓを利用するとテコアングル側の永久磁石が抜けてくる。勿論オモリアングル受けとオモリアングルにも磁石を入れＮとＮ極にする。以上のごとく構成された遠心力反動推進装置。
【手続補正書】
【提出日】平成17年1月31日(2005.1.31)
【手続補正１】
【補正対象書類名】実用新案登録請求の範囲
【補正対象項目名】全文
【補正方法】変更
【補正の内容】
【実用新案登録請求の範囲】
【請求項１】
考案の詳細な説明
１）ドーナツ円盤の外側にギヤを付け、中側ドームは逆筒台形とし上部、中部とし下部はダルマ空洞形とし、横中央にオイルモーター依り出入りする油の穴を開け油圧ジョイントを付ける。中にオイルモーターを入れ外から１６本のボルトでセットする蓋と主シャフトとの接点のところは二重にボールベアリングを嵌めて外からリングでしめておく。その外側とテコアングルをシャフトにベアリングを嵌めてフリーにし取付けるテコアングルの  先端部分との途中に副シャフトを固定化して取付ける。副シャフトにオモリアングルをベアリング嵌めてフリーにして取付ける。オモリアングル受けとオモリアングルとにスプリングを主シャフトを挟んで両側にＶ字形に嵌める。スプリングは一方側のフックのネジ山を逆に切る。中側ドームは２個にして主柱上部部に取付けるが、中側ドームの中にコアにコイルを捲いてテコアングル先端部分が通過するように、片側８個計１６個中心を向けて取付ける。中側ドームは地球儀を縦に４個に割った形とし組立てて行くが、円筒形ブラシコンセントは８箇所のコアに接続するコアの一方の−電源は中側ドームに取付けるので＋の電源の方は１６極８箇所の２股とし絶縁物質と使い円形とする。そしてドーム主柱取付ける。
素子になる方は円形とするが、端子になる方は絶縁物質を使い棒状とし機体に取付ける。
２）ドーム主柱中側方向用ブレーキ付正転逆転電動モーターはＹ字形固定金具を８個機体に取付け、その中の１個にモーターを取付ける。
３）３６０°回転可能とする油圧ジョイントは、中央に円筒形Ｙ字形管をまず作りその内側に油の出るやはりＹ字形円筒管を逆に嵌め、それにオイルリングを二重に嵌めるその中に又Ｙ字形円筒形管を作り、油の入る管にオイルリング二重に嵌めて作る。
出来たものを機体に取付ける。オイルモーターの所は油が出る方と、入る方とに途中で分けてオイルモーターの横の部分に接続させる油圧ジョイント上も油圧ホースで油の入る方と出る方に分ける。
４）油圧コンセントは、円形Ｔ形テーブル絶縁物質の中に素子を＋−交互６４個入れるが中央下部にシャフトを固定し取付け、そのシャフト−の電源を流し取付け部分の脇に＋の電源が入る様、円形素子を作る。そしてテーブルの側面に１６個の端子を作り機体に取付けテーブルの素子に電源が入るように作る。シャフトの上下にベアリング取付け、機体の一部に取付けるよう設計する。その中間に主柱に取付ける同じ大きさのオイルモーターを取付け、油圧ホースで機体に取付けた遠心力反動推進装置全体に油圧を直列にして油を送る。
５）外側ドームは１個に作りパッキンを噛ませてエアーが漏れない様に機体に取付ける。
【手続補正書】
【提出日】平成17年5月10日(2005.5.10)
【手続補正１】
【補正対象書類名】実用新案登録請求の範囲
【補正対象項目名】全文
【補正方法】変更
【補正の内容】
【実用新案登録請求の範囲】
【請求項１】
１）中側ドーム支柱は逆円筒形とし上部中部そして下部は同形ダルマ空洞形として組立て行く下部のその中にオイルモーターを入れ上方に１０本下方に１１本計２１本のボルトを使いセットするオイルモーターへの油圧管はダルマ形空洞の横構依り送入可能とするそして２本油送パイプを設けるその一方は油圧コンセントへ一方は発電機依りのオイルポンプへ通す、様にして置く
主シャフトとダルマ形との接点は２重のボールベアリングを嵌め外側依りリングで締めて置くそして主シャフトにオモリアングル受けに磁石を入れて取り付けその外側にテコアングルに永久磁石を入れベアリングをシャフトとの接点に３連嵌めて取り付けそのテコアングルの中間に副シャフトを取り付けるがこの副シャフトにオモリアング中間にボールベアリングを又３連入れてリングを嵌めて締めて置く次にオモリアング受けとオモリアングルにコイルバネをシャフトを挟んで左右に両側にＶ型に嵌めて置く中側ドームはに２つに分け組立てテコアングル先端部分とコアにすれすれに通過出来る様に設計するコアは八方８個とオイルモーターを挟んでこの処置を前後に設置する
中側ドームはドーナツ型円盤にギヤを設けて置き１周り大きい円形鋏に正転逆転用電動モーターを付けドーナツ型円盤をセットしそれを機体に取り付ける中側ドームのコアに捲いたコイルの端は１方はドームに１方は円筒形ブラシコンセント外側のブラシ１６個に取り付け内側の壁にある８段の素子の板を取り付けたものとする
２）３６０°回転可能とするオイルジョイレト推進器側オイルモーター依りの油圧管にまずリングを嵌め油圧コンセント側に向う円筒形Ｙ字鉄管にリングを２重に嵌めセットする次に発電機例のオイルポンプ側依り来る外側の円筒形Ｙ字鉄管と推進器側に向う円筒形Ｙ字鉄管としてリングを２重に嵌めセットするオイルジョイントは外側に当る管に膨みを２ヶ所設けその中にアングルを３方依り施し鉄管の中心を計る油は発電機側のオイルポンプに送られて来てこのオイルジョイントを通して油圧コンセントに送られるそして又発電機側のオイルポンプに戻る
３）油圧コンセントはまずシャフトに円形テーブル形絶縁物質取り付けシャフト依り４８本のケーブルを伸してテーブル端に素子を作るその下に饅頭型絶縁物質を取り付け４８本のケーブルをテーブル端まで仲しそこへ９６個の素子を設置し交互にケーブルを撃ぐ端子は８方１６個としてそしてシャフトにも入力用素子端子を設ける饅頭型絶縁物質にも入力用素子端子を設けて置くそしてテーブルに蓋を取り付ける油圧コンセントのオイルモーターは推進器のオイルモーターと同調する様に同形同体とする電源は発電機側から来てこの油圧コンセントを通り円筒形ブランコンセントを通りコアのコイルに流れて行く
４）外側ドームは１つとしパッキンを噛せエヤーが漏れない様にして機体にボルトで締め付けて置く以上の如く構成された遠心力反動推進装置